(57)【要約】【課題】スマートフォン等の端末装置が遠隔操作によりＰＣのプログラム資源を共有する仕組みを構築することにより、一層の利便性向上をはかる。【解決手段】クラウドシステム（クラウドＰＣシステム１０）は、事業者サーバ１と、事業者サーバ１によってクラウド登録される１以上のＰＣ（クラウドＰＣ３０）と、ＰＣとはネットワーク（ＩＰ網３）経由で接続され、選択されたＰＣとの間でユニークな識別情報によって通信を確立し、選択されたＰＣを遠隔操作する端末装置２と、から構成される。更に、ネットワークに接続されるストレージデバイス（クラウドストレージ４０）も共有してよい。【選択図】図１
2018028724.tif 000002
【特許請求の範囲】
【請求項１】
事業者サーバと、
前記事業者サーバによってクラウド登録される１以上のアプリケーション実行装置と、
前記アプリケーション実行装置とはネットワーク経由で接続され、選択されたアプリケーション実行装置との間でユニークな識別情報によって通信を確立し、前記選択されたアプリケーション実行装置を遠隔操作する端末装置と、
を備えたことを特徴とするクラウドシステム。
【請求項２】
前記ネットワークには更にストレージデバイスが接続され、
前記端末装置は、
前記選択されたアプリケーション実行装置のプログラム及びデータ、並びに前記識別情報により特定される前記ストレージデバイスのデータを共有することを特徴とする請求項１に記載のクラウドシステム。
【請求項３】
ネットワークを介して接続される１以上のアプリケーション実行装置の遠隔操作方法であって、
前記ネットワークを介して接続される事業者サーバが、前記アプリケーション実行装置をクラウド登録する第１のステップと、
前記ネットワークを介して接続される端末装置が、前記クラウド登録されたアプリケーション実行装置を選択し、選択されたアプリケーション実行装置との間でユニークな識別情報により通信を確立して遠隔操作する第２のステップと、を有することを特徴とする遠隔操作方法。
【請求項４】
前記第１のステップは、
前記事業者サーバが、前記１以上のアプリケーション実行装置に対し、それぞれにユニークな識別情報と、共有を許可するアプリ、及びフォルダを設定するステップを含むことを特徴とする請求項３に記載の遠隔操作方法。
【請求項５】
前記第２のステップは、
前記端末装置が、前記事業者サーバから、前記端末装置に割り当てられる前記アプリケーション実行装置の識別情報を取得し、取得した識別情報により遠隔操作するアプリケーション実行装置の認証、及び設定したアプリとフォルダを選択するステップを含むことを特徴とする請求項３に記載の遠隔操作方法。
【請求項６】
アプリケーション実行装置のレンタルサービスを提供する事業者サーバと、複数の端末装置とがネットワーク経由で接続されるクラウドシステムの課金方法であって、
前記事業者サーバは、
前記端末装置から前記アプリケーション実行装置のレンタル要求を受信すると、必要なアプリケーション実行装置をレンタルすると共に、使用するアプリケーションの種類、使用するアプリケーション実行装置の性能、又はその組み合わせによって課金情報を生成し、前記端末装置に課金情報を送信することを特徴とするクラウドシステムの課金方法。
【発明の詳細な説明】
【技術分野】
【０００１】
本発明は、クラウドシステム、及びアプリケーション実行装置の遠隔操作方法、並びにその課金方法に関する。
【背景技術】
【０００２】
例えば、特許文献１に、ＰＣ（Personal  Computer）が持つアプリケーションプログラム（以下、単にアプリという）を簡単な遠隔操作で容易に起動することができるアプリの起動方法が紹介されている。又、例えば、特許文献２に、１台のＰＣ本体を複数の人が同時に使用できるＰＣシステムが紹介されている。特許文献１、２で紹介された技術によれば、ユーザはＰＣが持つプログラム資源を有効に利用することができる。
【先行技術文献】
【特許文献】
【０００３】
【特許文献１】特開平１１−１４３６１９号公報
【特許文献２】特開２０００−６６７７７号公報
【発明の概要】
【発明が解決しようとする課題】
【０００４】
ところで、近年、スマートフォンやタブレット等の端末装置を使いこなすユーザが急増したことで、クラウドの利用が普通になりつつある。クラウドは、端末装置の容量不足をカバーし、あるいは複数の端末装置から手軽にアクセスできる利便性を持つ。このため、最近では、オンラインストレージとローカルにある複数のＰＣとの間でデータの共有や同期を可能にする「Ｄｒｏｐｂｏｘ（登録商標）」等のクラウドサービスを利用し、画像や動画等のデータ保存や共有先として活用するシーンが一般的になった。
【０００５】
一方、市場に出まわっているはずのＰＣでクラウドの恩恵にあずかっているユーザはいまだ少数派である。このため、ＰＣもクラウド化してスマートフォン等の端末装置により遠隔操作することができれば、ＰＣのプログラム資源やデータを端末装置が利用できるようになり、一層利便性が増すことになる。
【０００６】
本発明は上記した課題を解決するためになされたものであり、スマートフォン等の端末装置が遠隔操作によりＰＣ等のプログラム資源やデータを利用できる仕組みを構築することにより、一層の利便性向上をはかった、クラウドシステム、及びアプリケーション実行装置の遠隔操作方法、並びにその課金方法を提供することを目的とする。
【課題を解決するための手段】
【０００７】
（１）本発明のクラウドシステムは、事業者サーバと、前記事業者サーバによってクラウド登録される１以上のアプリケーション実行装置と、前記アプリケーション実行装置とはネットワーク経由で接続され、選択されたアプリケーション実行装置との間でユニークな識別情報によって通信を確立し、前記選択されたアプリケーション実行装置を遠隔操作する端末装置と、を備えたことを特徴とする。
【０００８】
（２）（１）の構成において、前記ネットワークには更にストレージデバイスが接続され、前記端末装置は、前記選択されたアプリケーション実行装置のプログラム及びデータ、並びに前記識別情報により特定される前記ストレージデバイスのデータを共有することを特徴とする。
【０００９】
（３）本発明の遠隔操作方法は、ネットワークを介して接続される１以上のアプリケーション実行装置の遠隔操作方法であって、前記ネットワークを介して接続される事業者サーバが、前記アプリケーション実行装置をクラウド登録する第１のステップと、前記ネットワークを介して接続される端末装置が、前記クラウド登録されたアプリケーション実行装置を選択し、選択されたアプリケーション実行装置との間でユニークな識別情報により通信を確立して遠隔操作する第２のステップと、を有することを特徴とする。
【００１０】
（４）（３）の構成において、前記第１のステップは、前記事業者サーバが、前記１以上のアプリケーション実行装置に対し、それぞれにユニークな識別情報と、共有を許可するアプリ、及びフォルダを設定するステップを含んでもよい。
【００１１】
（５）（３）の構成において、前記第２のステップは、前記端末装置が、前記事業者サーバから、前記端末装置に割り当てられる前記アプリケーション実行装置の識別情報を取得し、取得した識別情報により遠隔操作するアプリケーション実行装置の認証、及び設定したアプリとフォルダを選択するステップを含んでもよい。
【００１２】
（６）本発明の課金方法は、アプリケーション実行装置のレンタルサービスを提供する事業者サーバと、複数の端末装置とがネットワーク経由で接続されるクラウドシステムの課金方法であって、前記事業者サーバは、前記端末装置から前記アプリケーション実行装置のレンタル要求を受信すると、必要なアプリケーション実行装置をレンタルすると共に、使用するアプリケーションの種類、使用するアプリケーション実行装置の性能、又はその組み合わせによって課金情報を生成し、前記端末装置に課金情報を送信することを特徴とする。
【発明の効果】
【００１３】
本発明によれば、スマートフォン等の端末装置が遠隔操作によりＰＣ等のプログラム資源を利用できる仕組みを構築することにより、一層の利便性向上をはかった、クラウドシステム、及びアプリケーション実行装置の遠隔操作方法、並びにその課金方法を提供することができる。
【図面の簡単な説明】
【００１４】
【図１】本発明の実施の形態に係るクラウドシステムのシステム構成図である。
【図２】本発明の実施の形態に係るクラウドシステムのシーケンス図である。
【発明を実施するための形態】
【００１５】
（実施形態の構成）
以下、本発明の実施の形態（以下、本実施形態という）に係るクラウドＰＣシステムについて図面を参照しながら詳細に説明する。なお、実施形態の説明の全体を通して同じ要素には同じ番号又は符号を付している。
【００１６】
図１に示すように、本実施形態に係るクラウドシステム（以下、クラウドＰＣシステム１０という）は、事業者サーバ１と、事業者サーバ１によってクラウド登録される１以上のアプリケーション実行装置（以下、クラウドＰＣ３０という）と、クラウドＰＣ３０とは、ＩＰ（Internet  Protocol）網３等のネットワーク経由で接続され、選択されたＰＣ（クラウドＰＣ３０）を遠隔操作する、当該選択されたＰＣとの間でユニークな識別情報によって通信を確立する端末装置２と、から構成される。
【００１７】
事業者サーバ１は、クラウドＰＣサービス提供事業者（以下、単に、事業者という）によって管理運営されるサーバであり、事業者が、ＰＣをクラウド化し、クラウドＰＣ３０としてユーザの端末装置２からの使用、及び共有を可能にするため、ＰＣごとにユニークな識別情報（アカウント）を割り当て、かつ、共有を許可するプログラム資源（アプリ）の種類、ならびにフォルダ（データ）を設定する。
【００１８】
ここでは、アプリケーション実行装置として、ＰＣを想定しているが、ＰＣに限らずスマートフォン等、優れたアプリケーションを実装するものであればその種類は問わない。又、端末装置２として、スマートフォンを想定しているが、スマートフォンに限らず、タブレット等、ＯＳ（Operating  System）を内蔵し、ネットワーク接続環境を持つ携帯端末であればいずれでもよい。端末装置２は、使用、及び共有が許可されたアプリケーション実行装置（クラウドＰＣ３０）を遠隔操作することにより、自身で所有していないアプリやストレージを利用することができる。
【００１９】
クラウドＰＣシステム１０には、更に、ネットワークを介して大容量のストレージデバイス（クラウドストレージ４０）が接続されてもよい。この場合、端末装置２は、選択されたクラウドＰＣ３０が有するアプリ及びデータ、並びにアカウントにより特定されるストレージデバイスのデータ使用及び共有が可能である。
【００２０】
ここで、図１に示すクラウドＰＣシステム１０により実現されるビジネスモデルの説明を行う。まず、端末装置２は、事業者サーバ１に対し、クラウドＰＣ３０のレンタル要求を送信する。そして、このレンタル要求を受信した事業者サーバ１は、ユーザの要求に合致するクラウドＰＣ３０を割り当て、そのクラウドＰＣ３０のレンタルサービスを提供する。このとき、事業者サーバ１は、端末装置２に割り当てたクラウドＰＣ３０の性能、使用するアプリケーションの種類、又はその組み合わせによって課金情報を生成する。そして、ユーザに対して課金するため、定期又は不定期に端末装置２に課金情報を送信する。
【００２１】
上記したビジネスモデルによれば、遠隔操作によりＰＣ等のアプリケーション実行装置のプログラム資源を利用できる仕組みを構築することにより、旧式、あるいは処理性能が劣るＰＣ等の端末装置２しか持たないユーザであっても、高性能ＰＣでなければ実行できない処理負荷の大きなアプリケーションを使用でき、更に、優れたスマートフォンのアプリケーションも利用することができる。同様に、スマートフォンやタブレット、あるいはデジタルテレビ等の端末装置２でスマートフォンのアプリケーションを使用することができる。又、事業者サイドにおいても、ＰＣレンタルの対価としてユーザに課金することによる事業収益が可能になり、更なるレンタル資源の確保が可能になる。
【００２２】
（実施形態の動作）
以下、図２のシーケンス図を参照しながら、本実施形態に係るクラウドＰＣシステム１０の動作について詳細に説明する。
【００２３】
最初に、事業者サーバ１は、クラウド登録するＰＣに対し、ＰＣクラウドサーバアプリをインストールする（ステップＳ１０１）。ＰＣクラウドサーバアプリがインストールされたＰＣは、インストールされたそのアプリが起動されると、アカウント登録画面が画面表示される。
【００２４】
ここで、事業者は、ＰＣのアカウント登録画面に対し、クラウドＰＣ３０としてユニークなアカウントを登録する（ステップＳ１０２）。続いて、端末装置２に、使用、及び共有を許可するアプリの種類、並びにフォルダを設定する（ステップＳ１０３）。以上の操作により、クラウドＰＣ３０としてのＰＣのクラウド化が終了する。
【００２５】
一方、ユーザが端末装置２を操作することにより、事業者サーバ１に対し、クラウドＰＣ３０の利用要求を送信すると、事業者サーバ１から、要求のあった端末装置２に対し、ＰＣクラウドアプリとアカウントとが送信される（ステップＳ１０４）。ＰＣクラウドアプリとアカウントとを受信した端末装置２は、そのアプリをインストールした後、起動すると（ステップＳ１０５）、端末装置２が持つ表示モニタ上にアカウント設定画面が表示される（ステップＳ１０６）。
【００２６】
端末装置２のユーザは、そのアカウント設定画面に、先に受信したアカウントを設定入力するか、選択し、また、使用するアプリとフォルダを指定し（ステップＳ１０７）、クラウドＰＣ３０との間でアクセス認証を行う（ステップＳ１０８）。
【００２７】
ここで、アクセス認証が成功すれば、端末装置２は、選択されたクラウドＰＣ３０との間で通信が確立してそのクラウドＰＣ３０のアクセスが許容され（ステップＳ１０９）、選択したクラウドＰＣ３０が持つアプリ、及びフォルダの遠隔操作による利用が可能になる（ステップＳ１１０）。
【００２８】
なお、図示省略したが、端末装置２は、先に取得したアカウントにより、あるいは別途取得するアカウントにより、クラウドストレージ４０の利用も可能になる。このことにより、端末装置２は、自身が持たないアプリの他に、大容量のストレージも利用することができる。
【００２９】
（実施形態の効果）
以上説明のように本実施形態に係るクラウドＰＣシステム１０によれば、ユーザは、ＰＣを持ち歩くことなく、スマートフォン等の端末装置２でＰＣアプリを遠隔操作して利用することが可能になり、また、端末装置２のストレージ内にＰＣデータをアップロードすることができるため、利便性が向上する。
【００３０】
なお、クラウドストレージサービスとして、Ｄｒｏｐｂｏｘ（登録商標）等が知られているが、無料ユーザは、容量が制限されるため、容量不足は否めない。これに対し、本実施形態に係るクラウドＰＣシステム１０によれば、自身が持たないアプリを利用できる他に、クラウドＰＣ３０やクラウドストレージ４０のデータを利用することにより、クラウドＰＣ３０やクラウドストレージ４０が持つ記憶容量の範囲で容量不足を解消することができ、また、特殊なネットワークを使用することなく、アプリとデータの共有が可能になるため、コスト削減にも寄与することができる。
【００３１】
（ＰＣの遠隔操作方法）
なお、本実施形態に係るＰＣの遠隔操作方法は、例えば、図１に示すように、ネットワーク（ＩＰ網３）を介して接続される１以上のＰＣ（クラウドＰＣ３０）の遠隔操作方法である。そして、その方法は、例えば、図２に示すように、ネットワークを介して接続される事業者サーバ１が、ＰＣをクラウド登録する第１のステップ（Ｓ１０１〜Ｓ１０３）と、ネットワークを介して接続される端末装置２が、クラウド登録されたＰＣを選択し、選択されたＰＣとの間でユニークな識別情報により通信を確立して遠隔操作する第２のステップ（Ｓ１０５〜Ｓ１１０）と、を有する。
【００３２】
本実施形態に係るＰＣの遠隔操作方法によれば、スマートフォン等の端末装置２が遠隔操作によりＰＣのプログラム資源を利用できる仕組みを構築することにより、一層の利便性向上がはかれる。
【００３３】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。また、その様な変更又は改良を加えた形態も本発明の技術的範囲に含まれ得ることが、特許請求の範囲の記載から明らかである。
【符号の説明】
【００３４】
１    事業者サーバ
２    端末装置
３    ＩＰ網（ネットワーク）
１０  クラウドＰＣシステム（クラウドシステム）
３０  クラウドＰＣ
４０  クラウドストレージ
【図１】
2018028724.tif 000003
【図２】
2018028724.tif 000004